(57)【特許請求の範囲】
【請求項１】
ジョイントボックスと、絶縁線心を露出した複数のケーブルと、該複数のケーブルの各端末に設けられるコネクタと、所望の経路で配索される電線を収納して前記ジョイントボックス内に取り付けられる回路構成部材と、前記ジョイントボックス内に取り付けられて前記複数のケーブルを保持するケーブルホルダーと、を備えるとともに、前記コネクタと前記回路構成部材とを用いて前記絶縁線心と前記回路構成部材に収納される前記電線との結線を行うようにした屋内配線用ユニットケーブルにおいて、
前記コネクタは、
有底の筒形状であるとともに開口側に前記回路構成部材に対して直接嵌合するコネクタ側嵌合部を有し底壁に複数の導体挿入穴を有するハウジングと、
該ハウジング内に設けられるとともに一端側に圧接部分を有して該圧接部分が前記開口から突出し前記回路構成部材に収納される前記電線に当接することにより前記絶縁線心と前記電線との結線を行う複数の圧接刃と、
前記ハウジング内に設けられるとともに前記導体挿入穴を介して挿入される前記絶縁線心の導体を前記圧接刃に押し付ける導体押圧用弾性部材とを備え、
前記回路構成部材は、
前記コネクタ側嵌合部に対応する部材側嵌合部と、前記電線を収納する電線収納溝とを有する
ことを特徴とする屋内配線用ユニットケーブル。
【請求項２】
請求項１に記載の屋内配線用ユニットケーブルにおいて、
前記複数の圧接刃及び前記導体押圧用弾性部材を差し込み式で前記ハウジング内に設けるとともに、前記複数の圧接刃を前記導体押圧用弾性部材によって前記ハウジングの側壁内面に押し付けて保持する
ことを特徴とする屋内配線用ユニットケーブル。
【請求項３】
請求項１又は請求項２に記載の屋内配線用ユニットケーブルにおいて、
前記複数の圧接刃の各他端を前記ハウジング内で前記底壁に当接させる
ことを特徴とする屋内配線用ユニットケーブル。
【発明の詳細な説明】
【技術分野】
【０００１】
本発明は、屋内配線に用いられるユニットケーブルに関する。
【背景技術】
【０００２】
近年、玄関や居間や寝室などの各部屋別にユニット化した部屋ユニットを住宅メーカーの工場で製造し、これらを施工現場で施主の希望や敷地形状に応じて組み付けることにより、一つの部屋が出来上がるようなプレハブ住宅工法が知られている。プレハブ住宅工法においては、各部屋ユニット別の配線も予め工場内で行われるようになっており、この配線によって屋内配線作業の簡素化を達成することができるようになっている。屋内配線作業の簡素化を達成するためには、ジョイントボックスを備えた屋内配線用ユニットケーブルを用いることが有効である。
【０００３】
従来の屋内配線用ユニットケーブルとしては、図１１に示す如く、この内部に絶縁性の熱硬化製樹脂（エポキシ樹脂等）４を充填・モールドして、分岐接続した結線部を固定及び保護するような構造を採用しているものがある（例えば下記特許文献１参照）。従来の屋内配線用ユニットケーブルは、用途に応じて二芯ケーブル、三芯ケーブル等のものが使用されている。ケーブル２を構成する絶縁線心１の結線部は、圧着スリーブ３を用いて結線がなされている。
【０００４】
図１１に示す従来の屋内配線用ユニットケーブルにあっては、圧着スリーブ３を使用し、また、結線工具を用いて手作業で回路結線を行うことから、作業時間がかかったり結線ミスが発生したりするという問題点を有している。また、結線部を熱硬化製樹脂４で充填・モールドすることから、樹脂注入装置やモールド用の熱硬化製樹脂材料が必要であるとともに、十分な硬化時間を確保する必要もあり、安価で短いリードタイムでの製造が困難であるという問題点を有している。さらに、結線部全体が熱硬化製樹脂４によって固定されることから、重く取り扱い性が悪くなるのは勿論のこと、分解することができないために、誤結線の修正が不能であるという問題点を有している。
【０００５】
上記幾つかの問題点に対し、これを解消することが可能な屋内配線用ユニットケーブルとしては、下記特許文献２に開示された技術が知られている。下記特許文献２に開示された屋内配線用ユニットケーブルは、複数のケーブル（ＶＶＦケーブル）の各端末に設けられたコネクタと、所望の経路で配索される電線を有する回路構成部材と、コネクタ及び回路構成部材の間に介在して電気的な接続及び機械的な接続を行う中継接続部材（文献中の名称：本体ユニット）とを備えており、これら３つの部材を用いることによって絶縁線心同士の結線を行うことができるようになっている。
【特許文献１】登録実用新案第３００５９１２号公報
【特許文献２】特開２００５−２７４９３号公報
【発明の開示】
【発明が解決しようとする課題】
【０００６】
特許文献２に開示された屋内配線用ユニットケーブルにあっては、コネクタ及び回路構成部材の間に中継接続部材を介在させなければ絶縁線心同士の結線を行うことができないことから、部品点数が多くなり生産性やコスト面に影響を来してしまうのは勿論のこと、少なくとも接続部材の高さ分だけジョイントボックスが大型化してしまうという問題点を有している。
【０００７】
本発明は、上述した事情に鑑みてなされたもので、生産性向上とコスト低減とコンパクト化とを図ることが可能な屋内配線用ユニットケーブルを提供することを課題とする。
【課題を解決するための手段】
【０００８】
上記課題を解決するためになされた請求項１記載の本発明の屋内配線用ユニットケーブルは、ジョイントボックスと、絶縁線心を露出した複数のケーブルと、該複数のケーブルの各端末に設けられるコネクタと、所望の経路で配索される電線を収納して前記ジョイントボックス内に取り付けられる回路構成部材と、前記ジョイントボックス内に取り付けられて前記複数のケーブルを保持するケーブルホルダーと、を備えるとともに、前記コネクタと前記回路構成部材とを用いて前記絶縁線心と前記回路構成部材に収納される前記電線との結線を行うようにした屋内配線用ユニットケーブルにおいて、
前記コネクタは、
有底の筒形状であるとともに開口側に前記回路構成部材に対して直接嵌合するコネクタ側嵌合部を有し底壁に複数の導体挿入穴を有するハウジングと、
該ハウジング内に設けられるとともに一端側に圧接部分を有して該圧接部分が前記開口から突出し前記回路構成部材に収納される前記電線に当接することにより前記絶縁線心と前記電線との結線を行う複数の圧接刃と、
前記ハウジング内に設けられるとともに前記導体挿入穴を介して挿入される前記絶縁線心の導体を前記圧接刃に押し付ける導体押圧用弾性部材とを備え、
前記回路構成部材は、
前記コネクタ側嵌合部に対応する部材側嵌合部と、前記電線を収納する電線収納溝とを有することを特徴としている。
【０００９】
このような特徴を有する本発明によれば、ケーブルの端末を皮剥して絶縁線心を露出させるとともに、この絶縁線心の端末を皮剥して導体を露出させ、この後、導体を先にして絶縁線心をコネクタに差し込むと、差し込まれた導体は、導体押圧用弾性部材により押圧されて対応する圧接刃に取り付けられる。導体は、圧接刃に対して電気的に接触した状態に取り付けられる。これにより、ケーブルの端末にコネクタが設けられる。コネクタは、回路構成部材に対して直接嵌合する構造を有し、コネクタを回路構成部材に嵌合させると、この嵌合時に圧接刃が対応する電線を圧接して電気的な接続がなされる。ケーブルの数分だけコネクタを回路構成部材に嵌合させると、絶縁線心同士の結線が完了する。
【００１０】
請求項２記載の本発明の屋内配線用ユニットケーブルは、請求項１に記載の屋内配線用ユニットケーブルにおいて、前記複数の圧接刃及び前記導体押圧用弾性部材を差し込み式で前記ハウジング内に設けるとともに、前記複数の圧接刃を前記導体押圧用弾性部材によって前記ハウジングの側壁内面に押し付けて保持することを特徴としている。
【００１１】
このような特徴を有する本発明によれば、組み付けし易く且つ分解し易いコネクタになる。
【００１２】
請求項３記載の本発明の屋内配線用ユニットケーブルは、請求項１又は請求項２に記載の屋内配線用ユニットケーブルにおいて、前記複数の圧接刃の各他端を前記ハウジング内で前記底壁に当接させることを特徴としている。
【００１３】
このような特徴を有する本発明によれば、圧接刃の端部をハウジングの底壁内面に当接させることで、回路構成部材の電線との圧接の際に生じる力が底壁で受け止められる。これにより圧接に係る作業が安定し良好な接続状態を形成することが可能になる。
【発明の効果】
【００１４】
請求項１に記載された本発明によれば、回路構成部材とコネクタとの間に介在物がないことから、従来よりも生産性を向上させ、また、コストを低減し、さらにはコンパクト化を図ることができるという効果を奏する。
【００１５】
請求項２に記載された本発明によれば、生産性の向上に寄与するとともに、分解し易い構造であることから、リサイクル性にも配慮することができるという効果を奏する。
【００１６】
請求項３に記載された本発明によれば、圧接が安定することから、生産性の向上に寄与することができるという効果を奏する。
【発明を実施するための最良の形態】
【００１７】
以下、図面を参照しながら説明する。図１は本発明の屋内配線用ユニットケーブルの一実施の形態を示す斜視図である。また、図２はケーブル端末の斜視図、図３はケーブル端末にコネクタを設けた状態を示す斜視図、図４はコネクタの構成説明図、図５は回路構成部材とコネクタの嵌合状態を示す斜視図、図６は回路構成部材の斜視図、図７は回路構成部材と複数のコネクタの嵌合状態を示す斜視図、図８はジョイントボックスの斜視図、図９はケーブルホルダーの斜視図、図１０は他の例となる回路構成部材の斜視図である。
【００１８】
図１において、引用符号１１は本発明の屋内配線用ユニットケーブルを示している。この屋内配線用ユニットケーブル１１は、複数のケーブル１２と、複数のコネクタ１３と、標準用回路構成部材１４と、スイッチ用回路構成部材１５と、ジョイントボックス１６と、ケーブルホルダー１７とを備えて構成されている。以下、図１ないし図１０を参照しながら上記各構成部材について説明する。
【００１９】
図１及び図２において、ケーブル１２は、特に限定するものでないが、公知のＶＶＦケーブルであって、３本の絶縁線心１８と、これらを被覆するシース１９とを有している（絶縁線心１８の数は一例であるものとする。上記ＶＶＦケーブルは一例であり他のケーブルであっても良いものとする）。ケーブル１２の端末は、所定の長さでシース１９が皮剥されており、３本の絶縁線心１８が一列に並んで露出した状態になっている。露出した絶縁線心１８の端末は、それぞれ絶縁体が皮剥されて導体２０が露出している。
【００２０】
本形態の屋内配線用ユニットケーブル１１においては、１０本のケーブル１２が使用されている（この本数に限定されないものとする）。本形態の屋内配線用ユニットケーブル１１は、図１に示す如く、最大１０本分のケーブル１２に対応することが可能な構造になっている（一例であるものとする）。
【００２１】
ここで、図１中の矢印Ｐを上下方向、矢印Ｑを左右方向、矢印Ｒを前後方向と定義するものとする（一般的な使用形態において、ケーブル１２を引き出しする方向が下方向になることが多い）。
【００２２】
図１、図３、及び図４において、コネクタ１３は、ケーブル１２の端末に設けられている。コネクタ１３は、単純に絶縁線心１８を差し込むだけでケーブル１２の端末に取り付くように構成されている。コネクタ１３は、標準用回路構成部材１４やスイッチ用回路構成部材１５に対して直接嵌合するように構成されている。このようなコネクタ１３は、ハウジング２１と、複数の圧接刃２２と、導体押圧用弾性部材２３とを備えて構成されている。
【００２３】
ハウジング２１は、絶縁性を有する合成樹脂材料の射出成形によりなる有底筒形状の部材であって、底壁２４と側壁２５と開口２６とを有している。ハウジング２１は、本形態において、底壁２４や開口２６が長方形状になるように形成されている。また、側壁２５の対向する２つの壁が平行になるように形成されている。
【００２４】
底壁２４には、導体挿入穴２７が貫通形成されている。導体挿入穴２７は、ケーブル１２の導体２０をハウジング２１の内部へ挿通するための部分として形成されている。本形態において、導体挿入穴２７は所定の間隔で３つ並んで形成されている。底壁２４の外面は、絶縁線心１８の端面が当接して差し込み量が規制されるようになっている。
【００２５】
側壁２５には、開口２６の縁部位置に、一対のコネクタ側嵌合部２８が形成されている。このコネクタ側嵌合部２８は、標準用回路構成部材１４やスイッチ用回路構成部材１５に対して直接嵌合し係止される部分として形成されている。特に限定するものではないが、本形態のコネクタ側嵌合部２８は、基部２９と係止爪部３０とを有している。コネクタ側嵌合部２８は、基部２９の先端に係止爪部３０が連成されている。係止爪部３０は、外側に突出するように形成されている。
【００２６】
側壁２５の内面には、圧接刃２２を隔てるための隔壁３１が２つ形成されている。隔壁３１は、圧接刃２２の幅寸法に合わせた間隔を有するように配置形成されている。隔壁３１は、リブ状に形成されている。
【００２７】
圧接刃２２は、導電性を有する金属板を加工してなる帯板状の部材であって、ハウジング２１の内部に差し込み式で設けられるようになっている。圧接刃２２は、ケーブル１２の絶縁線心１８の数に合わせて３つ設けられている。圧接刃２２は、この一端側に圧接部分３２を有している。圧接刃２２は、一端側の圧接部分３２がハウジング２１の開口２６から突出するように細長く形成されている。圧接刃２２の他端３３は、ハウジング２１の底壁２４の内面に当接するように形成されている。３つの圧接刃２２は、ハウジング２１の隔壁３１によって隣同士が絶縁されるようになっている。
【００２８】
導体押圧用弾性部材２３は、絶縁性を有する合成樹脂材料の射出成形によりなる部材であって、ハウジング２１の内部に差し込み式で設けられるようになっている（本形態では、ハウジング２１の底壁２４の内面に当接するまで差し込まれている）。導体押圧用弾性部材２３は、ハウジング２１の導体挿入穴２７を介して挿入される絶縁線心１８の導体２０を対応する圧接刃２２に押し付けることができるように形成されている。また、導体押圧用弾性部材２３は、圧接刃２２をハウジング２１の側壁２５の内面に押し付けて保持することができるように形成されている。
【００２９】
導体押圧用弾性部材２３は、圧接刃２２を押圧する圧接刃押圧部３４と、この圧接刃押圧部３４の反対側で側壁２５の内面に当接する側壁当接部３５と、これら圧接刃押圧部３４及び側壁当接部３５を連結する連結部３６と、絶縁線心１８の導体２０を圧接刃２２に押し付けるための部分としての導体押圧部３７とを有している。導体押圧用弾性部材２３は、弾力性を有している。圧接刃２２は、導体押圧用弾性部材２３によってハウジング２１の内部から抜け落ちないようになっている。
【００３０】
導体押圧部３７と圧接刃２２との間に差し込まれた導体２０は、導体押圧部３７の押圧によって抜け難くなっている（コネクタ１３からの抜けは、ケーブルホルダー１７で対策される）。
【００３１】
図１において、標準用回路構成部材１４やスイッチ用回路構成部材１５は、ケーブル１２の端末に設けられたコネクタ１３を嵌合係止させた状態でジョイントボックス１６内に取り付けられるようになっている。
【００３２】
標準用回路構成部材１４は、言い換えるならば標準の回路モジュールであり、また、スイッチ用回路構成部材１５は、スイッチ用の回路モジュールとなっている。
【００３３】
図１、図５、図６、及び図７において、標準用回路構成部材１４は、回路部３８と、この回路部２８に所望の経路で配索される複数の電線３９（本形態では被覆を有するが、被覆がなくても良いものとする。圧接が可能な電線であれば特に限定されないものとする）とを備えて構成されている。回路部３８は、絶縁性を有する合成樹脂材料の射出成形によりなる平面視長方形の板状部材であって、電線３９を収納するための複数の電線収納溝４０と、コネクタ１３のコネクタ側嵌合部２８が嵌合してこれを係止するための複数の部材側嵌合部４１とを有している。
【００３４】
電線収納溝４０は、標準用回路構成部材１４をジョイントボックス１６内に取り付けると左右方向に真っ直ぐにのびるような溝として形成されている。電線収納溝４０は、電線３９を収納した後、この電線３９を臨むことができるように形成されている。電線収納溝４０は、本形態において、３本形成されている。電線収納溝４０は、コネクタ１３の圧接刃２２の位置に合わせて配置形成されている。電線収納溝４０は、コネクタ１３のコネクタ側嵌合部２８及び標準用回路構成部材１４の部材側嵌合部４１の嵌合の際に、コネクタ１３の圧接刃２２（圧接部分３１）が差し込まれるようになっている。
【００３５】
部材側嵌合部４１は、電線収納溝４０を挟むような位置において対になるように形成されている。部材側嵌合部４１は、電線収納溝４０に沿って６個形成されている（全体で１２個形成されている）。
【００３６】
図１及び図８において、スイッチ用回路構成部材１５は、回路部４２と、この回路部４２に所望の経路で配索される複数の電線４３（本形態では被覆を有するが、被覆がなくても良いものとする。圧接が可能な電線であれば特に限定されないものとする）とを備えて構成されている。回路部４２は、絶縁性を有する合成樹脂材料の射出成形によりなる平面視長方形の板状部材であって、電線４３を収納するための複数の電線収納溝４４と、コネクタ１３のコネクタ側嵌合部２８が嵌合してこれを係止するための複数の部材側嵌合部４５とを有している。スイッチ用回路構成部材１５は、標準用回路構成部材１４よりも若干左右方向が短くなるような長方形状に形成されている。
【００３７】
電線収納溝４４は、標準用回路構成部材１４の電線収納溝４０と異なり、左右方向及び前後方向にのびるような溝として形成されている（例えば碁盤の目のように複数の溝が交差するように形成されている）。本形態において、左右方向にのびる溝は、４本となるように形成されている。電線収納溝４４は、電線４３を収納した後、この電線４３を臨むことができるように形成されている。電線収納溝４４は、コネクタ１３の圧接刃２２の位置に合わせて配置形成されている。電線収納溝４４は、コネクタ１３のコネクタ側嵌合部２８及びスイッチ用回路構成部材１５の部材側嵌合部４５の嵌合の際に、コネクタ１３の圧接刃２２（圧接部分３１）が差し込まれるようになっている。
【００３８】
部材側嵌合部４５は、標準用回路構成部材１４の部材側嵌合部４１と同じ部分であって、電線収納溝４４を挟むような位置において対になるように形成されている。部材側嵌合部４５は、電線収納溝４４に沿って（左右方向に沿って）４個形成されている（全体で８個形成されている）。
【００３９】
図１及び図９において、ジョイントボックス１６は、絶縁性を有する合成樹脂材料の射出成形によりなる箱状の部材であって、ジョイントボックス本体４６と、ヒンジ４７を介してジョイントボックス本体４６に連成されるジョイントボックス蓋体４８とを有している。ジョイントボックス蓋体４８は、ジョイントボックス本体４６の前面開口を覆うことができるように形成されている。ジョイントボックス本体４６は、上記前面開口の他に、下面開口も有するように形成されている。
【００４０】
上記前面開口は、ケーブル１２の端末のコネクタ１３を嵌合係止させた標準用回路構成部材１４やスイッチ用回路構成部材１５を差し込んで収納するために形成されており、上記下面開口は、ケーブル１２を引き出すために形成されている。
【００４１】
ジョイントボックス本体４６には、屋内配線用ユニットケーブル１１を壁や柱に取り付けるための取付部４９が形成されている。また、ジョイントボックス本体４６には、この内部に差し込まれる標準用回路構成部材１４やスイッチ用回路構成部材１５を保持するための回路構成部材保持部５０、５１が形成されている。回路構成部材保持部５０、５１は、取付部４９の近傍、言い換えれば、ジョイントボックス本体４６の内部上側に形成されている。ジョイントボックス本体４６の内部下側には、この内部に差し込まれるケーブルホルダー１７を保持するためのホルダー保持部５２が形成されている。引用符号５３はロック用凹部を示している。このロック用凹部５３は、ジョイントボックス蓋体４８のロック用凸部５４を係止することができるように形成されている。
【００４２】
ジョイントボックス蓋体４８には、上記ロック用凸部５４の他に、例えば略ブリッジ状のホルダー押さえ部５５が形成されている。
【００４３】
図１及び図１０において、ケーブルホルダー１７は、特に限定するものでないが、絶縁性を有する合成樹脂材料の射出成形によりなる櫛歯状の部材であって、複数のケーブル差し込み凹部５６を有している。ケーブル差し込み凹部５６には、ケーブル１２が差し込まれるようになっている。ケーブル差し込み凹部５６は、ケーブル１２を保持することができるような形状に形成されている（ケーブル１２を保持した状態でケーブル引き抜き方向の外力が加わったとしても、コネクタ１３の嵌合状態や、導体２０と圧接刃２２との接触状態に影響を来さないような保持力を有することが好ましい）。
【００４４】
上記構成において、ケーブル１２の端末を皮剥して絶縁線心１８を露出させるとともに、この絶縁線心１８の端末を皮剥して導体２０を露出させ、この後、導体２０を先にして絶縁線心１８をコネクタ１３に差し込むと、差し込まれた導体２０は、導体押圧用弾性部材２３により押圧されて対応する圧接刃２２に取り付けられる。導体２０は、圧接刃２２に対して電気的に接触した状態に取り付けられる。これにより、ケーブル１２の端末にコネクタ１３が設けられる。
【００４５】
コネクタ１３は、標準用回路構成部材１４やスイッチ用回路構成部材１５に対して直接嵌合する構造を有することから、先ず、コネクタ１３を標準用回路構成部材１４に嵌合させると（図５参照）、この嵌合時に圧接刃２２が対応する電線３９を圧接して電気的な接続がなされる（絶縁線心１８同士の結線がなされることになる）。標準用回路構成部材１４に対応するケーブル１２の数分だけコネクタ１３を嵌合させると、図７に示すような状態になる。
【００４６】
次に、標準用回路構成部材１４と同様に、スイッチ用回路構成部材１５に対してもコネクタ１３を嵌合させると、この嵌合時に圧接刃２２が対応する電線４３を圧接して電気的な接続がなされる（絶縁線心１８同士の結線がなされることになる）。スイッチ用回路構成部材１５に対応するケーブル１２の数分だけコネクタ１３を嵌合させ、この後、コネクタ１３が嵌合した状態の標準用回路構成部材１４やスイッチ用回路構成部材１５をジョイントボックス本体４６の内部に収容して保持させると、図１に示すような状態になる。この時、１０本のケーブル１２は、ケーブルホルダー１７に保持された状態でジョイントボックス本体４６の下面開口から引き出される。
【００４７】
最後に、ジョイントボックス蓋体４８をジョイントボックス本体４６に嵌合させると、本発明の屋内配線用ユニットケーブル１１の組み付けが完了する。
【００４８】
以上、図１ないし図１０を参照しながら説明してきたように、本発明の屋内配線用ユニットケーブル１１によれば、標準用回路構成部材１４やスイッチ用回路構成部材１５と、コネクタ１３との間に介在物がないことから、従来よりも生産性を向上させ、また、コストを低減し、さらにはコンパクト化を図ることができるという効果を奏する。
【００４９】
また、本発明の屋内配線用ユニットケーブル１１によれば、上記構成及び構造から分かるように、全て嵌め込みや差し込みで組み付けられてなることから、分解し易い構造であってリサイクル性にも配慮することができるという効果を奏する。
【００５０】
本発明の屋内配線用ユニットケーブル１１は、安価で環境に優れたものとなる。
【００５１】
この他、本発明は本発明の主旨を変えない範囲で種々変更実施可能なことは勿論である。
【図面の簡単な説明】
【００５２】
【図１】本発明の屋内配線用ユニットケーブルの一実施の形態を示す斜視図である。
【図２】ケーブル端末の斜視図である。
【図３】ケーブル端末にコネクタを設けた状態を示す斜視図である。
【図４】コネクタの構成説明図である。
【図５】回路構成部材とコネクタの嵌合状態を示す斜視図である。
【図６】回路構成部材の斜視図である。
【図７】回路構成部材と複数のコネクタの嵌合状態を示す斜視図である。
【図８】ジョイントボックスの斜視図である。
【図９】ケーブルホルダーの斜視図である。
【図１０】他の例となる回路構成部材の斜視図である。
【図１１】従来例の屋内配線用ユニットケーブルの断面図である。
【符号の説明】
【００５３】
１１  屋内配線用ユニットケーブル
１２  ケーブル
１３  コネクタ
１４  標準用回路構成部材（回路構成部材）
１５  スイッチ用回路構成部材（回路構成部材）
１６  ジョイントボックス
１７  ケーブルホルダー
１８  絶縁線心
１９  シース
２０  導体
２１  ハウジング
２２  圧接刃
２３  導体押圧用弾性部材
２４  底壁
２５  側壁
２６  開口
２７  導体挿入穴
２８  コネクタ側嵌合部
２９  基部
３０  係止爪部
３１  隔壁
３２  圧接部分
３３  他端
３４  圧接刃押圧部
３５  側壁当接部
３６  連結部
３７  導体押圧部
３８  回路部
３９  電線
４０  電線収納溝
４１  部材側嵌合部
４２  回路部
４３  電線
４４  電線収納溝
４５  部材側嵌合部
４６  ジョイントボックス本体
４７  ヒンジ
４８  ジョイントボックス蓋体
４９  取付部
５０、５１  回路構成部材保持部
５２  ホルダー保持部
５３  ロック用凹部
５４  ロック用凸部
５５  ホルダー押さえ部
５６  ケーブル差し込み凹部
【図１】
0005156288.tif 000002
【図２】
0005156288.tif 000003
【図３】
0005156288.tif 000004
【図４】
0005156288.tif 000005
【図５】
0005156288.tif 000006
【図６】
0005156288.tif 000007
【図７】
0005156288.tif 000008
【図８】
0005156288.tif 000009
【図９】
0005156288.tif 000010
【図１０】
0005156288.tif 000011
【図１１】
0005156288.tif 000012